【事件の表示】
　平成１１年特許願第３５１６３１号「アンテナ切換装置」拒絶査定不服審判事件〔平成１３年　６月２２日出願公開、特開２００１−１６８６２７〕について、次のとおり審決する。
【結　論】
　本件審判の請求は、成り立たない。
【理　由】
第１．手続の経緯
　本願は、平成１１年１２月１０日の出願であって、平成２０年８月４日付けで拒絶査定がなされ、これに対し、同年９月１１日に拒絶査定に対する審判請求がなされるとともに、同年１０月１４日付けで審判請求時の手続補正がなされたものである。
　
第２．補正却下の決定
［補正却下の決定の結論］
　　平成２０年１０月１４日付けの手続補正を却下する。
　
［理由］
１．本願発明と補正後の発明
　上記手続補正（以下、「本件補正」という。）は補正前の平成２０年７月２２日付けの手続補正書の特許請求の範囲の請求項１に記載された
　「受信機が受信可能な複数のチャンネルにそれぞれ対応する複数のワイヤレスチャンネルデータのうち任意の１つを、前記受信機に向かって送信する遠隔制御送信機と、
　前記受信機によって受信可能な各チャンネルに対応した指向性に、指向性を調整可能な可変指向性アンテナと、
　この可変指向性アンテナの制御手段とを、
具備し、この制御手段は、
　手動操作部と、
　この手動操作部の操作に応じて指向性可変用データを生成する指向性可変用データ生成手段と、
　前記ワイヤレスチャンネルデータを受信する受信手段と、
　学習モードにおいて、前記受信手段が前記ワイヤレスチャンネルデータを受信しているとき、このワイヤレスチャンネルデータと、そのとき前記指向性可変用データ生成手段が生成している前記指向性可変用データとを、関連づけて記憶する記憶手段と、
　通常モードにおいて、前記受信手段が受信したワイヤレスチャンネルデータが、前記記憶手段に記憶されている各前記指向性可変用データのいずれに該当するか検索する検索手段と、
　前記検索された指向性可変用データまたは前記指向性可変用データ生成手段が生成した指向性可変用データに基づいて、前記可変指向性アンテナの指向性を調整する指向性調整手段とを、
具備し、前記学習モード及び前記通常モードのいずれであっても、前記操作部が操作されたとき、その操作に応じて前記指向性可変用データ生成手段が生成した前記指向性可変用データに基づいて前記指向性調整手段が前記可変指向性アンテナの指向性を調整するアンテナ切換装置。」
という発明（以下、「本願発明」という。）を、補正後の特許請求の範囲の請求項１に記載された
　「受信機が受信可能な複数のチャンネルにそれぞれ対応する複数のワイヤレスチャンネルデータのうち任意の１つを、前記受信機に向かって送信する遠隔制御送信機と、
　前記受信機によって受信可能な各チャンネルに対応した指向性に、指向性を調整可能な可変指向性アンテナと、
　この可変指向性アンテナの制御手段とを、
具備し、この制御手段は、
　手動操作部と、
　この手動操作部の操作に応じて指向性可変用データを生成する指向性可変用データ生成手段と、
　前記遠隔制御送信機からの前記ワイヤレスチャンネルデータを受信する受信手段と、
　学習モードにおいて、前記受信手段が前記ワイヤレスチャンネルデータを受信しているとき、このワイヤレスチャンネルデータと、そのとき前記指向性可変用データ生成手段が生成している前記指向性可変用データとを、関連づけて記憶する記憶手段と、
　通常モードにおいて、前記受信手段が受信したワイヤレスチャンネルデータが、前記記憶手段に記憶されている各前記指向性可変用データのいずれに該当するか検索する検索手段と、
　前記検索された指向性可変用データまたは前記指向性可変用データ生成手段が生成した指向性可変用データに基づいて、前記可変指向性アンテナの指向性を調整する指向性調整手段とを、
具備し、前記学習モード及び前記通常モードのいずれであっても、前記操作部が操作されたとき、その操作に応じて前記指向性可変用データ生成手段が生成した前記指向性可変用データに基づいて前記指向性調整手段が前記可変指向性アンテナの指向性を調整するアンテナ切換装置。」
という発明（以下、「補正後の発明」という。）に補正することを含むものである。
　
２．新規事項の有無、補正の目的要件について
　本件補正は、願書に最初に添付した明細書又は図面に記載した事項の範囲内において、補正前の「前記ワイヤレスチャンネルデータを受信する受信手段」という構成を「前記遠隔制御送信機からの前記ワイヤレスチャンネルデータを受信する受信手段」という構成に限定することにより特許請求の範囲を減縮するものである。
　したがって、本件補正は、平成１４年法律第２４号改正附則第３条第１項によりなお従前の例によるとされる同法による改正前の特許法第１７条の２第３項（新規事項）及び平成１４年法律第２４号改正附則第２条第１項によりなお従前の例によるとされる同法による改正前の特許法第１７条の２第４項第２号（補正の目的）の規定に適合している。
　
３．独立特許要件について
　本件補正は特許請求の範囲の減縮を目的とするものであるから、上記補正後の発明が特許出願の際独立して特許を受けることができるものであるのかどうかについて以下に検討する。
　
（１）補正後の発明
　上記「１．本願発明と補正後の発明」の項で「補正後の発明」として認定したとおりである。
　
（２）引用発明及び周知技術
　Ａ．原審の拒絶理由に引用された特開平６−３３４９３１号公報（以下、「引用例」という。）には図面とともに以下の事項が記載されている。
　イ．「機器に設けられる２以上の付属アンテナにおけるアンテナ端子の組合せを切換えてチューナー部に出力するスイッチ部と、
前記付属アンテナの出力と、外部アンテナの出力のいずれかを択一的に前記チューナー部に対して接続するアンテナ接続手段と、
前記付属アンテナ出力と前記チューナー部との接続を検出して検出情報を出力する付属アンテナ接続検出手段と、
前記アンテナ端子の組合せを、各チャンネルに対応して記憶することのできる記憶手段と、
現在の前記アンテナ端子の組合せを表示することのできる表示手段と、
切換え指示入力に基づいて前記アンテナ端子の組合せを順に切換えると共に、現在受信中のチャンネルに対応して、前記記憶手段に記憶されているデータに基づく前記アンテナ端子の組合せに切換える切換え制御が可能とされる制御手段を備え、
前記制御手段は、前記付属アンテナ接続検出手段から入力される検出情報に基づいて、前記付属アンテナが前記チューナー部に接続されていない場合には、少なくとも前記付属アンテナの切換え制御を行わないよう構成されたことを特徴とするテレビジョン受像機。」（２頁１欄、請求項１）
　ロ．「【００３９】続いて、ユーザーが付属アンテナを使用して本実施例のテレビジョン受像機を利用する際の受信特性の設定時の操作及びこれに伴う機器の動作を説明する。図３の斜視図は本実施例の回路が実装されたテレビジョン受像機の外観を示している。筐体４０の内部にはループアンテナ１が、外部には伸縮可能なダイポールアンテナ２が付属アンテナとして各１つずつ設けられ、表示画面４２の右側の操作パネル３１には指向性の調整時に用いるサーチキー３１ａを含む各種のキーが設けられている。また、４１は外部リモコン装置（図示せず）の受光部である。また、７ａは屋外アンテナのケーブルを示し、その先端にはコネクタ７ｂが設けられている。例えば、このコネクタ７ｂが図示しない機器背面の接続端子Ｔ1（アンテナ接続部９）に接続されるものであるが、付属アンテナを利用している際には接続されていない、あるいは接続されていても手動の切換スイッチ（図示しない）により、アンテナ接続部９内部は付属アンテナ側とチューナー１０が導通される状態とされている。また、前面部の左側には付属アンテナのアンテナ端子の組み合わせパターンをＬＥＤにより示すＬＥＤ表示部３０が設けられている。
【００４０】ところで、前述のように本実施例においては付属アンテナのアンテナ端子スイッチＳ1 〜Ｓ4 の組合わせは最大１６通り設定することができる。そこで、本実施例においては１６通りのアンテナ端子スイッチの組合わせが選択できるものとし、これらの１６通りの組合わせパターンをそれぞれポジション１〜１６ということにする。
【００４１】ユーザーはこのテレビジョン受像機を室内の適当な位置に配置してダイポールアンテナ２を伸ばし電源を入れる。そこで、ユーザーが操作パネル３１あるいはリモコン装置を操作して所望のチャンネルを選択し、次にサーチキー３１ａを押すと、マイクロコンピュータ２８はサーチモードに入ることとなる。そこで先ずマイクロコンピュータ２８は、現在のアンテナ端子スイッチの組み合わせから、ポジション１〜１６の順に従い、次のアンテナ端子スイッチの組合わせパターンに切換える。これにより、付属アンテナの受信指向性が変化して画像状態も異なってくることとなる。
【００４２】また、このサーチモード時には、現在のアンテナ端子スイッチの組合わせがポジション１〜１６の何れであるかを示す表示が画面およびＬＥＤ表示部３０にて行われる。例えば、図４（ａ）に示すように、現在のアンテナ端子スイッチの組合わせパターンを示すキャラクタが表示画面４２の所定位置に表示される。例えばこの図の場合は、現在切換えられたアンテナ端子スイッチの組合わせが、ポジション１０であることを示している。また、図４（ｂ）のＬＥＤ表示部３０の拡大図に示すように、ＬＥＤ表示部３０においても同様に、図に示すＰ１〜Ｐ１６までのＬＥＤにおいて、現在選択されているアンテナ端子スイッチの組合わせにあたるＬＥＤが点灯するように構成される。
【００４３】そして、上記の状態から一定時間以内にさらにサーチキー３１ａを押すと、ポジション１〜１６の順に従い、次のアンテナ端子スイッチの組合わせパターンに切換わることとなる。例えば、上記の状態からさらにサーチキー３１ａが操作されたならば、ポジション１０からポジション１１に切換えられることとなり、これにともない、画面上のキャラクタおよびＬＥＤ表示部３０のＬＥＤもまた、ポジション１１を示す表示に変わることとなる。ユーザーが上記と同様の手順でアンテナ端子スイッチの組合わせ（ポジション）を変更していくことにより受信特性が変化していくこととなるが、このようにして現在受信中のチャンネルが最良の画像となるアンテナ端子スイッチの組合わせを探していくこととなる。なお、このようにしてサーチ動作が行われ、例えばアンテナ端子スイッチの組合わせがポジション１６まで来た場合には、次にはポジション１に戻って切換えられることとなる。
【００４４】上記操作により、ユーザーが現在受信中のチャンネルにとって最適なアンテナ端子スイッチの組合わせを特定した場合には、ユーザーはサーチキー３１ａの操作をあらかじめ設定されている所定時間以上行わずにおく。そして、一定時間が経過すると、マイクロコンピュータ２８は現在切換えられているアンテナ端子スイッチの組合わせのポジションのデータを、メモリ部２９の現在受信中のチャンネルに対応するアドレスに対してセットする。
【００４５】そしてこの後、既にアンテナ端子の組み合わせが記憶済とされたチャンネルに再び選局をした時には、マイクロコンピュータ２８はチューナー１０の受信チャンネルを切換えると共に、メモリ部２９に記憶されたデータから、この受信チャンネルに対応するアドレスにセットされているアンテナ端子スイッチの組合わせのポジションのデータを読み出してこれに切換える動作を行う。さらに他の受信チャンネルに対しても、同様のサーチキー３１ａによる操作で最適な画像が得られるパターンデータを記憶させておくことで、最終的にチャンネルを切換えた時には常に選択されたチャンネルについて最良の画像が得られることとなる。
【００４６】上記したサーチ及びメモリ動作の具体的一例を図４の説明図を用いて説明する。この図は、ポジション１〜１６のアンテナ端子スイッチＳ1 〜Ｓ4 の組み合わせのオン／オフのパターンを示しており、『１』が付されていればオン、『０』が付されていればオフであることを表している。そして、これらの各アンテナ端子スイッチのオン／オフの組合せパターンのデータは、ポジション１〜１６に対応させて、マイクロコンピュータ２８のレジスタにて記憶されているものである。
【００４７】ここで、ユーザーが例えば１チャンネルを選局し、現在１チャンネルにはポジション２のアンテナ端子スイッチの組み合わせが対応しているものとする。この状態から、さらに最良の受信状態を得るためにユーザーが操作パネル３１、あるいはリモコン装置に設けられたサーチキー３１ａを押したとする。すると、マイクロコンピュータ２８はサーチモードに入り、先ずスイッチ部３に制御信号を出力してアンテナ端子スイッチＳ1 〜Ｓ4 のオン／オフの組合わせを、ポジション２のパターンからポジション３のパターンに切換える。この場合、マイクロコンピュータ２８内部では図４に示すように、ポジション３の場合Ｓ1 は『０』、Ｓ2 は『０』、Ｓ3 は『１』、Ｓ4 は『０』であると設定されているため、これらのデータに基づく制御信号をスイッチ部３に出力し、各アンテナ端子スイッチについてＳ1 はオフ、Ｓ2 はオフ、Ｓ3 はオン、Ｓ4 はオフとすることとなる。そして、マイクロコンピュータ２８はキャラクタージェネレータ２６とＬＥＤ表示部３０にポジション３に対応する制御信号を出力する。これにより表示画面４２には『ポジション３』と表示され、ＬＥＤ表示部３０においてはＰ３のＬＥＤが点灯することとなる。そして次にマイクロコンピュータ２８は所定時間のタイマーをセットして、メモリ待機状態に入る。
【００４８】この後、タイマー時間以内に再びサーチキー３１ａが押された場合には、アンテナ端子スイッチＳ1 〜Ｓ4 のオン／オフの組合わせをポジション４のパターンに切換え、表示画面４２とＬＥＤ表示部３０の表示も『ポジション４』およびＰ４のＬＥＤが点灯するように変更して、タイマーをリセットする。この後さらにタイマー時間以内に再びサーチキー３１ａが押された場合には上記と同様の処理を順次行っていくこととなる。
【００４９】そして、上記のようにして順にサーチキー３１ａを操作して、例えば最終的に最良の画像状態となるアンテナ端子スイッチの組み合わせパターンとしてポジション１２を選択したとする。そして、『ポジション１２』を表示画面４２とＬＥＤ表示部３０に表示されている状態で、ユーザーがタイマー時間以上サーチキー３１ａを押さなかった場合には、マイクロコンピュータ２８は現在選択されているポジションのナンバー『１２』のデータを受信チャンネルに対応するアドレスにセットすることとなる。
【００５０】この後、ユーザーがこの後再び１チャンネルを選局したような場合には、マイクロコンピュータ２８は、メモリ部２９より１チャンネルに対応するポジションのナンバーのデータを呼び出し、そしてそのポジションのナンバーが『１２』であることを判別する。そして、マイクロコンピュータ２８内部では、ポジション１２ならばＳ1 は『１』、Ｓ2 は『０』、Ｓ3 は『１』、Ｓ4 は『１』という情報に基づいてスイッチ部３に制御信号を出力し、各アンテナ端子スイッチについてＳ1 をオン、Ｓ2をオフ、Ｓ3 をオン、Ｓ4 をオンに切換えることとなる。
【００５１】上述のようにして、ユーザーは受信可能なチャンネル全てについて、サーチキー３１ａにより指向性の調整を行ってしまえば、最良の画像状態が得られるアンテナ端子スイッチの組合せがデータとして記憶されるため、以後はチャンネルを切換えると同時に最良の受信状態が得られることとなり、いちいちアンテナの調整をし直す必要もなくなる。」（５頁８欄、段落３９〜７頁１１欄、段落５１）
　
　上記引用例の記載及び関連する図面ならびにこの分野における技術常識を考慮すると、上記「外部リモコン装置（図示せず）」（段落３９）は「リモコン装置を操作して所望のチャンネルを選択」（段落４１）するのであるから、当該リモコンは「受信機が受信可能な複数のチャンネルにそれぞれ対応する複数のワイヤレスチャンネルデータのうち任意の１つを、前記受信機に向かって送信する遠隔制御送信機」である。また上記「付属アンテナ」は「ポジション１〜１６の順に従い、次のアンテナ端子スイッチの組合わせパターンに切換える。これにより、付属アンテナの受信指向性が変化して画像状態も異なってくる」（段落４１）ものであり、「この受信チャンネルに対応するアドレスにセットされているアンテナ端子スイッチの組合わせのポジションのデータを読み出してこれに切換える動作を行う」（段落４５）ものであるから、当該アンテナは「前記受信機によって受信可能な各チャンネルに対応した指向性に、指向性を調整可能な可変指向性アンテナ」であり、上記「マイクロコンピュータ２８」や「メモリ部２９」は前記「可変指向性アンテナ」の制御手段の一部を構成している。
　また上記「操作パネル３１」に配設されている「サーチキー３１ａ」は前記リモコン装置とは別体の「手動操作部」であり、当該「サーチキー３１ａ」の押下によりポジション１〜１６に対応するアンテナ端子スイッチの組合せパターン（即ち、指向性可変用データ）が切換えられる（段落４３）のであるから、前記「マイクロコンピュータ２８」等の制御手段は、当該「切換え」に必要なポジションデータ等のなんらかの「指向性可変用データ」を生成する手段（即ち、「この手動操作部の操作に応じて指向性可変用データを生成する指向性可変用データ生成手段」）を備えるものである。
　また上記「サーチモード」は「最良の受信状態を得るために」入るモードであり、サーチにより得た結果を記憶する（段落４７〜４９）手段を含むものである。そして「既にアンテナ端子の組み合わせが記憶済とされたチャンネルに再び選局をした時」（段落４５）は前記サーチモードではないモード（即ち、「サーチ外モード」）である。
　また上記段落４７〜４９に記載されている「サーチモード」時の記憶手段（例えば段落４９の「マイクロコンピュータ２８は現在選択されているポジションのナンバー『１２』のデータを受信チャンネルに対応するアドレスにセットする」手段）は「サーチモードにおいて、前記受信手段が前記ワイヤレスチャンネルデータを受信しているとき、このワイヤレスチャンネルデータと、そのとき前記指向性可変用データ生成手段が生成している前記指向性可変用データとを、関連づけて記憶する記憶手段」であり、上記段落４５または段落５０に記載されている「既にアンテナ端子の組み合わせが記憶済とされたチャンネルに再び選局をした時」（即ち、サーチ外モード時）の「ポジションデータ」の読み出し手段は、「サーチ外モードにおいて、前記受信手段が受信したワイヤレスチャンネルデータが、前記記憶手段に記憶されている各前記指向性可変用データのいずれに該当するか検索する検索手段」を介して当該検索結果に基づく所望のデータを取得する手段であり、アンテナの指向性は前記記憶手段に記憶された「指向性可変用データ」若しくは順次発生する「指向性可変用データ」のいずれかで制御されるものである。そして当該「いずれかで制御される」手段は「前記検索された指向性可変用データまたは前記指向性可変用データ生成手段が生成した指向性可変用データに基づいて、前記可変指向性アンテナの指向性を調整する指向性調整手段」に他ならない。
　また段落４７の「ここで、ユーザーが例えば１チャンネルを選局し、現在１チャンネルにはポジション２のアンテナ端子スイッチの組み合わせが対応しているものとする。この状態から、さらに最良の受信状態を得るためにユーザーが操作パネル３１、あるいはリモコン装置に設けられたサーチキー３１ａを押したとする。すると、マイクロコンピュータ２８はサーチモードに入り、」という記載によれば、前記「この状態」は「サーチ外モード」時であるから、引用発明はサーチ外モード時でも手動操作部の操作によりサーチモードに入ることができるものであり、段落４３の「上記の状態から一定時間以内にさらにサーチキー３１ａを押すと、ポジション１〜１６の順に従い、次のアンテナ端子スイッチの組合わせパターンに切換わる」という記載によれば、当該「上記の状態」は段落４２の記載によれば「サーチモード」時であるから、引用発明はサーチモード時でも手動操作部の操作によりサーチモード（即ち、学習モード）に入ることができるものである。即ち引用発明は「前記サーチモード及び前記サーチ外モードのいずれであっても、前記操作部が操作されたとき、その操作に応じて前記指向性可変用データ生成手段が生成した前記指向性可変用データに基づいて前記指向性調整手段が前記可変指向性アンテナの指向性を調整する」ものである。
　したがって、上記引用例には以下の発明（以下、「引用発明」という。）が開示されている。
　
（引用発明）
　「受信機が受信可能な複数のチャンネルにそれぞれ対応する複数のワイヤレスチャンネルデータのうち任意の１つを、前記受信機に向かって送信する遠隔制御送信機と、
　前記受信機によって受信可能な各チャンネルに対応した指向性に、指向性を調整可能な可変指向性アンテナと、
　この可変指向性アンテナの制御手段とを、
具備し、この制御手段は、
　手動操作部と、
　この手動操作部の操作に応じて指向性可変用データを生成する指向性可変用データ生成手段と、
　サーチモードにおいて、前記受信手段が前記ワイヤレスチャンネルデータを受信しているとき、このワイヤレスチャンネルデータと、そのとき前記指向性可変用データ生成手段が生成している前記指向性可変用データとを、関連づけて記憶する記憶手段と、
　サーチ外モードにおいて、前記受信手段が受信したワイヤレスチャンネルデータが、前記記憶手段に記憶されている各前記指向性可変用データのいずれに該当するか検索する検索手段と、
　前記検索された指向性可変用データまたは前記指向性可変用データ生成手段が生成した指向性可変用データに基づいて、前記可変指向性アンテナの指向性を調整する指向性調整手段とを、
具備し、前記サーチモード及び前記サーチ外モードのいずれであっても、前記操作部が操作されたとき、その操作に応じて前記指向性可変用データ生成手段が生成した前記指向性可変用データに基づいて前記指向性調整手段が前記可変指向性アンテナの指向性を調整するテレビジョン受像機。」
　
　また上記引用例には以下の技術手段も開示されている。
　「【０００７】また、図９の室内アンテナの斜視図（図８と同様部分は同一符合を付す）に示すように、アンテナの端子の組合わせや出力位相等を、スイッチノブ等にて手動で切換える代わりに、本体部５０に受光部５５を、本体部５０の内部に制御部を設けて、リモートコントロール（リモコン）装置５７によって切換えるものが知られている。」（２頁２欄、段落７）
　
（３）対比・判断
　補正後の発明と引用発明を対比すると、補正後の発明のアンテナ切換装置にかかる「前記遠隔制御送信機からの前記ワイヤレスチャンネルデータを受信する受信手段」を引用発明が備えているか否かは不明である。
　また補正後の発明の「学習モード」及び「通常モード」と引用発明の「サーチモード」及び「サーチ外モード」はいずれもそれぞれ「設定モード」及び「通常使用モード」である点で一致している。
　また補正後の発明の「アンテナ切換装置」と引用発明の「テレビジョン受像機」はいずれも「アンテナ切換手段内蔵装置」である点で一致している。
　したがって、補正後の発明と引用発明は、以下の点で一致し、また、相違している。
　
（一致点）
　「受信機が受信可能な複数のチャンネルにそれぞれ対応する複数のワイヤレスチャンネルデータのうち任意の１つを、前記受信機に向かって送信する遠隔制御送信機と、
　前記受信機によって受信可能な各チャンネルに対応した指向性に、指向性を調整可能な可変指向性アンテナと、
　この可変指向性アンテナの制御手段とを、
具備し、この制御手段は、
　手動操作部と、
　この手動操作部の操作に応じて指向性可変用データを生成する指向性可変用データ生成手段と、
　設定モードにおいて、前記受信手段が前記ワイヤレスチャンネルデータを受信しているとき、このワイヤレスチャンネルデータと、そのとき前記指向性可変用データ生成手段が生成している前記指向性可変用データとを、関連づけて記憶する記憶手段と、
　通常使用モードにおいて、前記受信手段が受信したワイヤレスチャンネルデータが、前記記憶手段に記憶されている各前記指向性可変用データのいずれに該当するか検索する検索手段と、
　前記検索された指向性可変用データまたは前記指向性可変用データ生成手段が生成した指向性可変用データに基づいて、前記可変指向性アンテナの指向性を調整する指向性調整手段とを、
具備し、前記設定モード及び前記通常使用モードのいずれであっても、前記操作部が操作されたとき、その操作に応じて前記指向性可変用データ生成手段が生成した前記指向性可変用データに基づいて前記指向性調整手段が前記可変指向性アンテナの指向性を調整するアンテナ切換手段内蔵装置。」
　
（相違点１）補正後の発明は、アンテナ切換装置にかかる「前記遠隔制御送信機からの前記ワイヤレスチャンネルデータを受信する受信手段」を備えているのに対し、引用発明は当該構成を備えていない点。
　
（相違点２）「設定モード」及び「通常使用モード」に関し、補正後の発明はそれぞれ「学習モード」及び「通常モード」であるのに対し、引用発明はそれぞれ「サーチモード」及び「サーチ外モード」である点。
　
（相違点３）「アンテナ切換手段内蔵装置」に関し、補正後の発明は「アンテナ切換装置」であるのに対し、引用発明は「テレビジョン受像機」である点。
　
　そこで、まず上記相違点１の『補正後の発明は、アンテナ切換装置にかかる「前記遠隔制御送信機からの前記ワイヤレスチャンネルデータを受信する受信手段」を備えているのに対し、引用発明は当該構成を備えていない点』及び上記相違点３の「アンテナ切換手段内蔵装置」についてまとめて検討するに、引用発明の手動切換手段である「サーチキー３１ａ」は「所望のチャンネルを選択する」手段（各種のキー）とともに「操作パネル３１」に設けられる（引用例段落３９、４１参照）のであり、当該操作パネルのアンテナ切換手段に関する部分を、例えば引用例図８や図９に従来例として開示されているように、テレビジョン装置とは別体に構成することは周知であり、また引用例段落７に記載されているように「アンテナの端子の組合わせや出力位相等を、本体部５０に受光部５５を、本体部５０の内部に制御部を設けて、リモートコントロール（リモコン）装置によって切換える」構成も周知であり、これらの周知の構成を引用発明に適用する上での阻害要因は何ら見あたらないから、これらの周知の構成に基づいて、引用発明のテレビジョン装置の操作パネルの構成をリモコン受光装置付きの別体構成とすることにより、例えば補正後の発明のような「前記遠隔制御送信機からの前記ワイヤレスチャンネルデータを受信する受信手段」を更に備える構成とし（相違点１）、また「テレビジョン受像機」を補正後の発明のような「アンテナ切換装置」とする（相違点３）程度のことも当業者であれば適宜なし得ることである。
　
　ついで、上記相違点２の「設定モード」及び「通常使用モード」について検討するに、引用発明の「サーチモード」は「最良の受信状態を得るために」入るモードであり、サーチにより得た結果を記憶する手段（例えば段落４９の「マイクロコンピュータ２８は現在選択されているポジションのナンバー『１２』のデータを受信チャンネルに対応するアドレスにセットする」手段）を含むものである。そして、記憶手段を含む最良結果取得手段はしばしば「学習手段」と呼ばれるものであるから、当該知見に基づいて、引用発明の「サーチモード」を補正後の発明のような「学習モード」とするとともに、それ以外のモードである引用発明の「サーチ外モード」を同じく「通常モード」と定義する程度のことは当業者であれば適宜なし得ることである。
　
　以上のとおりであるから、補正後の発明は、引用発明及び周知技術に基づいて容易に発明できたものであり、特許法第２９条第２項の規定により、特許出願の際独立して特許を受けることができないものである。
　
４．結語
　以上のとおり、本件補正は、補正後の発明が特許出願の際独立して特許を受けることができないものであるから、平成１８年法律第５５号改正附則第３条第１項によりなお従前の例によるとされる同法による改正前の特許法第１７条の２第５項において準用する特許法第１２６条第５項の規定に適合していない。
　したがって、本件補正は、特許法第１５９条第１項において読み替えて準用する同法第５３条第１項の規定により却下すべきものである。
　
第３．本願発明について
１．本願発明
　本件補正は上記のとおり却下されたので、本願発明は、上記「第２．補正却下の決定」の「１．本願発明と補正後の発明」の項で「本願発明」として認定したとおりである。
　
２．引用発明
　引用発明は、上記「第２．補正却下の決定」の項中の「３．独立特許要件について」の項中の「（２）引用発明及び周知技術」の項で認定したとおりである。
　
３．対比・判断
　そこで、本願発明と引用発明とを対比するに、本願発明は上記補正後の発明から当該補正に係る限定を省いたものである。
　そうすると、本願発明の構成に当該補正に係る限定を付加した補正後の発明が、上記「第２．補正却下の決定」の項中の「３．独立特許要件について」の項で検討したとおり、引用発明及び周知技術に基づいて容易に発明できたものであるから、上記補正後の発明から当該補正に係る限定を省いた本願発明も、同様の理由により、容易に発明できたものである。
　
４．むすび
　以上のとおり、本願発明は、上記引用発明及び周知技術に基づいて当業者が容易に発明をすることができたものと認められるから、特許法第２９条第２項の規定により、特許を受けることができない。
　
　よって、結論のとおり審決する。